(57)【要約】【課題】簡易な構成で、筐体内部の温度を適正に制御することが可能な投射型表示装置を提供する。【解決手段】温度センサ９０は、外気の吸入経路上に配置され、筐体内に取り込まれた外気の温度を検知し、その検知した外気温度に応じたアナログ電圧Ｖ１を生成する。温度センサ９０は、生成した電圧Ｖ１を制御装置５０を介さずにファン駆動回路８０へ直接的に入力する。ファン駆動回路８０は、温度センサ９０の出力電圧Ｖ１に基づいて排気用ファン７０を駆動するための駆動電圧Ｖ２を生成し、その生成した駆動電圧Ｖ２を排気用ファン７０へ出力する。また、ファン駆動回路８０は、温度センサ９０の出力電圧Ｖ１に基づいて吸気用ファン６０を駆動するための駆動電圧Ｖ３を生成し、その生成した駆動電圧Ｖ３を吸気用ファン６０へ出力する。【選択図】図１
2011007952.tif 000002
【特許請求の範囲】
【請求項１】
投射型表示装置の外装を構成する筐体と、
前記筐体の外部から取り込んだ冷媒を用いて前記筐体の内部を冷却可能に構成された冷却装置と、
前記筐体の内部に取り込まれた冷媒の温度を検知するための温度センサと、
前記温度センサの出力値を受けるための端子を有し、前記端子に入力される前記温度センサの出力値に応じて前記冷却装置を駆動するための駆動電圧を制御する駆動回路とを備える、投射型表示装置。
【請求項２】
前記温度センサは、検知した冷媒の温度に応じた電圧を出力するように構成され、
前記駆動回路は、前記端子に入力される前記温度センサの出力電圧を前記冷却装置の駆動電圧に変換するための電圧変換手段を含む、請求項１に記載の投射型表示装置。
【請求項３】
前記電圧変換手段は、予め定められた前記筐体内部の冷却が必要な温度条件および前記冷却装置の駆動能力に基づいて、前記温度センサの出力電圧を前記冷却装置の駆動電圧に変換する、請求項２に記載の投射型表示装置。
【請求項４】
投射面に画像を投影するための光学エンジンと、
前記光学エンジンの動作を制御する制御装置とをさらに備える、請求項１に記載の投射型表示装置。
【請求項５】
投射面に画像を投影するための光学エンジンと、
前記光学エンジンを収容するための筐体と、
前記筐体の外部から取り込んだ冷媒を用いて前記筐体の内部を冷却可能に構成された冷却装置と、
前記筐体の内部に取り込まれた冷媒の温度を検知するための温度センサと、
前記温度センサの出力値を受けるための第１の端子を有し、前記第１の端子に入力される前記温度センサの出力値に応じて前記冷却装置を駆動するための駆動電圧を制御する駆動回路と、
前記温度センサの出力値を受けるための第２の端子を有し、前記第２の端子に入力される前記温度センサの出力値に応じて前記光学エンジンの動作を制御する制御装置とを備える、投射型表示装置。
【発明の詳細な説明】
【技術分野】
【０００１】
この発明は、投射型表示装置に関し、より特定的には、投射型表示装置の筐体の内部を冷却するための冷却装置の制御に関する。
【背景技術】
【０００２】
投射型表示装置（以下、プロジェクタとも称す。）においては、光源として使用されるランプや電源回路などが発生する熱による筐体内部の温度上昇を抑えるために、筐体内部に冷却ファンを設け、筐体内部を空冷する構成が広く採用されている。
【０００３】
たとえば特開２００３−５２８９号公報（特許文献１）には、プロジェクタの筐体の吸気口から外気を吸入する吸気ファンと、筐体内で温められた空気を排気口から筐体外に排気する排気ファンとによって筐体内を冷却する冷却装置が開示される。この冷却装置において、吸気ファンおよび排気ファンの回転速度を制御するためのファン制御手段としては、マイクロコンピュータ（以下、マイコンとも称す。）が用いられている。
【０００４】
具体的には、マイコンは、温度センサからの温度をデジタル化するＡ／Ｄ（アナログ／デジタル）変換部と、デジタル化された温度と記憶部より読出した複数の基準温度とを比較し、対応する基準温度を判別するようにプログラミングされた制御部とを含む。判別されたデータは、マイコンから出力されると、Ｄ／Ａ変換部でアナログ電圧に変換されて駆動電圧生成部に入力される。駆動電圧生成部は、該アナログ電圧に基づいて吸気ファンおよび排気ファンを駆動するための駆動電圧を生成し、その生成した駆動電圧を吸気ファンおよび排気ファンへ出力する。
【０００５】
また、特開２００９−３１３８９号公報（特許文献２）には、コンピュータとして機能する制御部の指示に基づいて、ファン制御部が冷却ファンの回転や停止および回転数制御を行なう構成が開示されている。
【先行技術文献】
【特許文献】
【０００６】
【特許文献１】特開２００３−５２８９号公報
【特許文献２】特開２００９−３１３８９号公報
【発明の概要】
【発明が解決しようとする課題】
【０００７】
上記の特許文献に記載の冷却装置では、ファン制御手段にマイコンを用いることにより、マイコンのプログラムによって容易に外気温度の判別を行なうことができる。
【０００８】
しかしながら、その一方で、ファン制御手段にマイコンを用いた場合には、安全規格として、マイコンからの指示に従って生成された駆動電圧が、該駆動電圧の制御範囲の下限値となった状態であっても、筐体内部の温度が所定の温度条件を満足させることが求められる。そのためには、プロジェクタの熱設計においては、光源等からの発熱量が相対的に大きくなるような温度環境を想定し、該環境下においても筐体内部の冷却に十分な風量が確保されるように、通常の熱負荷量に対して冷却ファンの駆動能力に余裕を持たせることが行なわれていた。
【０００９】
しかしながら、このように安全規格の観点に立って冷却ファンの駆動能力を高める、すなわち、風量を増大させた場合には、ファンの作動音による騒音の発生が問題となる。また、通常の温度環境においては冷却ファンの消費電力が無駄に増大してしまうという問題が生じていた。
【００１０】
さらにファン制御手段にマイコンを用いた場合には、ファンごとに回転速度を制御するためのプログラムが必要となるため、マイコンの回路構成が複雑化するとともに、回路規模が大きくなるという問題もあった。
【００１１】
それゆえ、この発明はかかる課題を解決するためになされたものであり、その目的は、簡易な構成で、筐体内部の温度を適正に制御することが可能な投射型表示装置を提供することである。
【課題を解決するための手段】
【００１２】
この発明のある局面に従う投射型表示装置は、該投射型表示装置の外装を構成する筐体と、筐体の外部から取り込んだ冷媒を用いて筐体の内部を冷却可能に構成された冷却装置と、筐体の内部に取り込まれた冷媒の温度を検知するための温度センサと、温度センサの出力値を受けるための端子を有し、端子に入力される温度センサの出力値に応じて冷却装置を駆動するための駆動電圧を制御する駆動回路とを備える。
【００１３】
好ましくは、温度センサは、検知した冷媒の温度に応じた電圧を出力するように構成される。駆動回路は、端子に入力される温度センサの出力電圧を冷却装置の駆動電圧に変換するための電圧変換手段を含む。
【００１４】
好ましくは、電圧変換手段は、予め定められた筐体内部の冷却が必要な温度条件および冷却装置の駆動能力に基づいて、温度センサの出力電圧を冷却装置の駆動電圧に変換する。
【００１５】
好ましくは、投射型表示装置は、投射面に画像を投影するための光学エンジンと、光学エンジンの動作を制御する制御装置とをさらに備える。
【００１６】
この発明の別の局面に従う投射型表示装置は、投射面に画像を投影するための光学エンジンと、光学エンジンを収容するための筐体と、筐体の外部から取り込んだ冷媒を用いて筐体の内部を冷却可能に構成された冷却装置と、筐体の内部に取り込まれた冷媒の温度を検知するための温度センサと、温度センサの出力値を受けるための第１の端子を有し、第１の端子に入力される温度センサの出力値に応じて冷却装置を駆動するための駆動電圧を制御する駆動回路と、温度センサの出力値を受けるための第２の端子を有し、第２の端子に入力される温度センサの出力値に応じて光学エンジンの動作を制御する制御装置とを備える。
【発明の効果】
【００１７】
この発明によれば、ファン駆動回路が温度センサの出力値を直接的に受けて冷却ファンの駆動電圧を制御することから、マイコンを用いた冷却ファンの制御と比較して、簡易かつ高効率な構成で、筐体内部の温度を適正に制御することができる。
【図面の簡単な説明】
【００１８】
【図１】この発明の実施の形態による投射型表示装置の全体構成図である。
【図２】図１におけるファン駆動回路の構成を示す図である。
【図３】温度センサの出力特性を示す図である。
【図４】図３のファン駆動回路の詳細な構成を示す回路図である。
【図５】図４の電圧変換回路における各ノードの電圧を説明する図である。
【図６】電圧可変型レギュレータから出力される駆動電圧と外気温度との関係を示す図である。
【図７】プロジェクタの異常時運転を行なうための制御構造を示すブロック図である。
【発明を実施するための形態】
【００１９】
以下、本発明の実施の形態について、図面を参照しながら詳細に説明する。なお、図中の同一または相当する部分には同一符号を付してその説明は繰返さない。
【００２０】
図１は、この発明の実施の形態による投射型表示装置の全体構成図である。
図１を参照して、投射型表示装置（以下、「プロジェクタ」とも記す）１００は、光源１０と、光変調部２０と、投射レンズ３０と、電源回路４０と、制御装置５０と、筐体１１０とを備える。
【００２１】
光源１０および光変調部２０は、図示しない投射面（スクリーンなど）に画像を投影するための光学エンジンを構成する。具体的には、光源１０は、たとえば超高圧水銀ランプ、メタルハライドランプ、キセノンランプなどからなる。光変調部２０は、液晶ライトバルブおよびダイクロイックプリズム（ともに図示せず）を含む。
【００２２】
液晶ライトバルブは、各々に画素電極および配向膜が形成された、一対の透明基板の間に液晶を封入して成る液晶パネル等から構成されている。液晶パネルは、画像信号に応じて駆動され、その駆動状態に応じて光を変調する。液晶パネルによって変調された光は、ダイクロイックプリズムに入射する。ダイクロイックプリズムは、液晶パネルによって変調された光を色合成し、投射レンズ３０へと入射させる。
【００２３】
投射レンズ３０は、投射光をスクリーンに結像させるためのレンズ群と、これらレンズ群の一部を光軸方向に変位させて投射画像のズーム状態およびフォーカス状態を調整するためのアクチュエータを備えている。ダイクロイックプリズムによって色合成された光は、投射レンズ３０によってスクリーン上に拡大投射される。
【００２４】
電源回路４０は、光源１０、光変調部２０および制御装置５０と、後述する吸気用ファン６０、排気用ファン７０およびファン駆動回路８０とに電力を供給する。なお、電源回路４０は、光源１０に電力を供給するためのバラスト電源を含んでおり、制御装置５０からの指令に従って光源１０に供給する電力を調整可能に構成される。これにより、電源回路４０が供給可能な電力範囲内で、光源１０が発光する光の量（発光量）を自在に変化させることができる。
【００２５】
制御装置５０は、一例として、ＣＰＵ（Central Processing Unit）と、ＲＯＭ（Read Only Memory）やＲＡＭ（Random Access Memory）などの記憶部とを含むマイコンを主体として構成される。制御装置５０は、ＣＰＵが記憶部に記憶されている制御プログラムに従って動作することにより、プロジェクタ１００の動作を統括制御する。具体的には、制御装置５０は、光変調部２０および電源回路４０の制御を行なうとともに、投影すべき画像のデータを処理する画像処理装置やＯＳＤ（On Screen Display）生成部（ともに図示せず）の制御を実行する。なお、ＯＳＤとは、機器の情報等をユーザへ通知するためにスクリーン上に文字または記号などを表示させる機能を総称したものである。
【００２６】
本実施の形態に従うプロジェクタ１００において、光学エンジン（光源１０および光変調部２０）、投射レンズ３０、電源回路４０および制御装置５０は、筐体１１０の内部に収容されている。このうちの光源１０、電源回路４０および制御装置５０は、消費電力に応じた熱を発生するため、プロジェクタ１００の運転時には筐体１１０の内部の温度が上昇する。その一方で、光変調部２０を構成する液晶パネルその他の光学部品は、性能上温度条件が厳しく制限されていることから、筐体内部の温度が上昇することによってこれらの光学部品の性能が低下する可能性がある。したがって、プロジェクタ１００の運転中においては、筐体１１０の内部温度が上述した温度条件に基づいて予め定めされた温度範囲を超えないように、筐体内部の冷却を行なう必要がある。
【００２７】
そこで、本実施の形態に従うプロジェクタ１００では、筐体１１０の内部を冷却するための冷却装置として、吸気用ファン６０と、排気用ファン７０と、ファン駆動回路８０と、温度センサ９０とをさらに備えている。
【００２８】
筐体１１０には、外気を筐体内に取り入れるための吸気口１２０と、筐体内の空気を外部へ放出するための排気口１３０とが設けられている。なお、図示は省略するが、吸気口１２０には、外気に含まれる塵等の異物を除去するためのフィルタが設けられている。また、筐体１１０の内部には、取り込まれた外気を光源１０および光変調部２０などの発熱部品に導くためのダクトが配設されている。
【００２９】
吸気用ファン６０は、吸気口１２０に対向して配置される。吸気用ファン６０が筐体１１０の外部に対して筐体内を陰圧（負圧）にする態様で回転することにより、図１の矢印１２２に示されるように外気が筐体内に取り込まれる。取り込まれた空気は、フィルタを通過した後にダクトを流れることにより、光源１０および光変調部２０などに供給される。
【００３０】
温度センサ９０は、外気の吸入経路上に配置され、筐体内に取り込まれた外気の温度を検知する。なお、温度センサ９０は、外気の温度を検知することを目的とするため、熱源となる光源１０、光変調部および制御装置５０からは可能な限り離れた位置に配置することによって、装置自身による温度上昇の影響を可能な限り排除している。
【００３１】
また、温度センサ９０としては、一般的に、温度変化に応じたアナログ電圧を出力するＩＣや、アナログ／デジタル変換回路を内蔵し、アナログ電圧をデジタル電圧に変換して出力するＩＣ、あるいは、温度により特性値が変化するサーミスタなどを利用するものがある。本実施の形態では、温度センサ９０として、アナログ電圧出力型の温度センサを用いるものとする。具体的には、温度センサ９０は、検知した外気温度に応じたアナログ電圧Ｖ１を生成してファン駆動回路８０へ出力するように構成されている。
【００３２】
筐体１１０の内部において、空気の流路において光源１０の下流側には排気用ファン７０が設けられている。排気用ファン７０が回転することにより、発熱部品との熱交換によって暖められた空気が排気口１３０から筐体１１０の外へ放出される。このようにして、筐体１１０の内部が冷却される。
【００３３】
なお、本実施の形態では、冷却ファンとして吸気用ファン６０および排気用ファン７０を設ける構成について例示するが、液晶パネル等の光学部品や電子部品を冷却するためのファンをさらに設ける構成としてもよい。
【００３４】
このような一連の冷却装置の動作において、吸気用ファン６０および排気用ファン７０は、それぞれ、ファン駆動回路８０からの駆動電圧に応じて回転数が制御される。具体的には、ファン駆動回路８０は、温度センサ９０の出力値に応じて吸気用ファン６０および排気用ファン７０を駆動するための駆動電圧を制御する。ファン駆動回路８０は、温度センサ９０の出力電圧Ｖ１に基づいて排気用ファン７０を駆動するための駆動電圧Ｖ２を生成し、その生成した駆動電圧Ｖ２を排気用ファン７０へ出力する。また、ファン駆動回路８０は、温度センサ９０の出力電圧Ｖ１に基づいて吸気用ファン６０を駆動するための駆動電圧Ｖ３を生成し、その生成した駆動電圧Ｖ３を吸気用ファン６０へ出力する。吸気用ファン６０および排気用ファン７０では、内蔵されるファンモータの回転数が駆動電圧に応じて制御され、熱交換に必要な風量が制御される。
【００３５】
すなわち、本実施の形態に従うプロジェクタ１００では、温度センサ９０の出力電圧Ｖ１は、制御装置５０を介さず、直接的にファン駆動回路８０に入力される。この点において、温度センサの出力値をマイコンからなる制御部が受け、当該制御部がファンの回転を制御する駆動電圧生成部に対して制御指令を出力するように構成された従来のプロジェクタとは異なるものである。
【００３６】
以下に、図２から図６を用いて本実施の形態に従う冷却装置の制御構成について説明する。
【００３７】
図２は、図１におけるファン駆動回路８０の構成を示す図である。なお、図２では、代表的に、排気用ファン７０を駆動するための駆動回路の一構成例について例示するが、吸気用ファン６０に対しても同様の構成からなる駆動回路が設けられる。
【００３８】
図２を参照して、ファン駆動回路８０は、温度センサ９０の出力電圧Ｖ１を受けるための端子８２と、電圧変換回路８４と、電圧可変型レギュレータ８６と、ファン駆動電圧Ｖ２を出力するための端子８８とを含む。
【００３９】
電圧変換回路８４は、端子８２に入力された温度センサ９０の出力電圧Ｖ１の電圧レベルを変換して電圧可変型レギュレータ８６の出力電圧調整端子へ出力する。
【００４０】
電圧可変型レギュレータ８６は、出力電圧調整端子に与えられる制御電圧に応じて入力電圧を変化させて出力電圧とし、この出力電圧を端子８８に出力する。端子８８に出力された電圧は、駆動電圧Ｖ２として排気用ファン７０のファンモータに供給される。
【００４１】
ここで、本実施の形態では、上述したように、外気温度を検知するための温度センサ９０は、アナログ電圧出力型の温度センサであり、一例として、外気温度と出力電圧との間に図３のような関係を有しているものとする。
【００４２】
図３は、温度センサ９０の出力特性を示す図である。
図３を参照して、温度センサ９０は、外気温度が上昇するに従って出力電圧Ｖ１が低下する特性を有している。例えば外気温度がＴｐ［℃］のときには温度センサ９０の出力電圧Ｖ１はＶｐ［Ｖ］となり、外気温度がＴｑ（＞Ｔｐ）［℃］のときには出力電圧Ｖ１はＶｑ（＜Ｖｐ）［Ｖ］となる。
【００４３】
なお、図中の外気温度Ｔｐ［℃］およびＴｑ［℃］はそれぞれ、排気用ファン７０の駆動電圧Ｖ２の可変制御が必要とされる温度範囲の下限値および上限値に対応している。当該温度範囲は、筐体内の液晶パネル等の光学部品に課されている温度条件に基づいて予め設定されたものである。
【００４４】
これによれば、外気温度が下限値Ｔｐ［℃］を下回っている場合には、筐体内部を冷却する必要性が小さいため、排気用ファン７０の能力を制限することができる。また、外気温度が上限値Ｔｑ［℃］を超える場合には、光学部品の性能低下や損傷のおそれが生じることから、筐体内部を最大能力で冷却するように排気用ファン７０を制御することが求められる。その一方で、Ｔｐ［℃］以上かつＴｑ［℃］以下となる温度範囲では、筐体内部の冷却に必要十分な空気の流量が確保されるように、図３の温度センサ９０の出力電圧Ｖ１に応じて駆動電圧Ｖ２を可変制御することで、筐体内部の冷却効率を向上させることができる。
【００４５】
図４は、図３のファン駆動回路８０の詳細な構成を示す回路図である。
図４を参照して、電圧変換回路８４は、差動増幅器（ＯＰアンプ；演算増幅器）８４０，８４２，８４４と、抵抗Ｒ１〜Ｒ６とを含む。
【００４６】
差動増幅器８４０は、電圧増幅率が１の電圧ホロワであり、正入力には電源電圧ＶＤＤを抵抗Ｒ５およびＲ６で分圧した電圧（＝ＶＤＤ×Ｒ６／（Ｒ５＋Ｒ６））が入力される。したがって、差動増幅器８４０の出力ノードＮＢには、ＶＤＤ×Ｒ６／（Ｒ５＋Ｒ６）で与えられる電圧ＶＢが現われる。
【００４７】
差動増幅器８４２は、抵抗Ｒ４と抵抗Ｒ３とにより負帰還をかけた逆相増幅器であり、正入力には電圧変換回路８４の入力ノードＮＡの電圧ＶＡ（すなわち、温度センサ９０の出力電圧Ｖ１に相当）を抵抗Ｒ１およびＲ２で分圧した電圧（＝Ｖ１×Ｒ２／（Ｒ１＋Ｒ２））が入力される。一方、負入力には、ノードＮＢの電圧ＶＢ（＝ＶＤＤ×Ｒ６／（Ｒ５＋Ｒ６））が入力される。正入力および負入力の間に加わる電圧は、（Ｒ４／Ｒ３）倍される。このとき、Ｒ１＝Ｒ３，Ｒ２＝Ｒ４となるように抵抗Ｒ１〜Ｒ４の値を設定することによって、正入力および負入力に同時に加わる成分をキャンセルして出力に現われないようにすることができる。これにより、差動増幅器８４２の出力ノードＮＣの電圧ＶＣは、正入力および負入力に加えられる電圧ＶＡ，ＶＢを用いて式（１）で与えられる。
【００４８】
ＶＣ＝Ｒ４／Ｒ３・（ＶＡ−ＶＢ）    （１）
上記式（１）によって、電圧ＶＣの変化の傾きは、電圧ＶＡ、すなわち温度センサ９０の出力電圧Ｖ１の傾きに対して、Ｒ４／Ｒ３（＝Ｒ２／Ｒ１）倍される。換言すれば、抵抗Ｒ１〜Ｒ４の抵抗値に応じて電圧ＶＣの傾きを調整することができる。この電圧ＶＣは、差動増幅器８４４の正入力に印加される。
【００４９】
なお、差動増幅器８４４は、差動増幅器８４０と同じく電圧ホロワであることから、出力であるノードＮＤの電圧ＶＤは、正入力に印加される電圧ＶＣと等しくなる。ノードＮＤの電圧ＶＤは、抵抗Ｒｃを介して電圧可変型レギュレータ８６の出力電圧調整端子８６６に入力される。
【００５０】
図５は、図４の電圧変換回路８４における各ノードの電圧を説明する図である。
図５を参照して、電圧変換回路８４の入力ノードＮＡの電圧ＶＡは、図３に示した温度センサ９０の出力電圧Ｖ１と一致している。これに対して、差動増幅器８４０の出力ノードの電圧ＮＢは、一定値Ｖｑ［Ｖ］に固定されている。この一定値Ｖｑ［Ｖ］は、外気温度が上限値Ｔｑ［℃］のときの温度センサ９０の出力電圧Ｖｑと一致している。これは、差動増幅器８４０の出力電圧ＮＢが温度センサ９０の出力電圧Ｖｑに一致するように、抵抗Ｒ５およびＲ６の抵抗値を決めることによって実現されたものである。
【００５１】
そして、電圧ＶＡおよび電圧ＶＢに基づいて生成された差動増幅器８４２の出力ノードＮＣの電圧ＶＣは、外気温度に対する傾きが電圧ＶＡの傾きよりも大きく、かつ、外気温度が上限値Ｔｑ［℃］以上となるときの電圧値が０［Ｖ］にクリップされた波形となっている。ここで、上限値Ｔｑ［℃］以上となるときの電圧値がクリップされているのは、上述したように、ノードＮＢの電圧ＶＢを温度センサ９０の出力電圧Ｖｑに等しくなるように設定したことによる。この電圧ＶＣは、差動増幅器８４４（電圧ホロワ）の出力ノードの電圧ＶＤと一致している。なお、電圧ＶＣの傾きは、上述したように、電圧変換回路８５内部の抵抗Ｒ１〜Ｒ４の抵抗値で決まるため、これらの抵抗値を調整することにより後段の電圧可変型レギュレータ８６の出力特性に応じて調整することが可能である。
【００５２】
このようにして、電圧変換回路８４の出力電圧（電圧ＶＤに相当）は、外気温度が上限値Ｔｑ［℃］以下のときには外気温度に比例して変化するとともに、外気温度が上限値Ｔｑ［℃］を超えると０［Ｖ］にクリップされる。この出力電圧は、電圧可変型レギュレータ８６の出力電圧調整端子８６６に入力される。
【００５３】
再び図４を参照して、電圧可変型レギュレータ８６は、ＩＣ化されており、そのＩＣの出力電圧調整用端子へ接続する外付け抵抗によって出力電圧を可変に設定することができる。具体的には、電圧可変型レギュレータ８６は、図示しない電源からの電源電圧ＶＤＤを受けるための電圧入力端子８６０と、排気用ファン７０の駆動電圧Ｖ２である出力電圧を出力するための電圧出力端子８６２と、接地端子８６４と、電圧変換回路８４からの出力電圧ＶＤを受けるための出力電圧調整端子８６６とを含む。
【００５４】
さらに、電圧可変型レギュレータ８６は、外付け抵抗として、電圧出力端子８６２と出力電圧調整端子８６６との間に接続された抵抗Ｒａと、出力電圧調整端子８６６と接地電圧との間に接続された抵抗Ｒｂと、電圧変換回路８４の出力ノードＮＤと出力電圧調整端子８６６との間に接続された抵抗Ｒｃとを含む。
【００５５】
電圧可変型レギュレータ８６は、電圧入力端子８６０に電源電圧ＶＤＤを受けると、電圧変換回路８４からの電圧ＶＤに応じて入力電圧を変化させて電圧出力端子８６２に電圧Ｖ２を出力する。このときの出力電圧Ｖ２は、電圧可変型レギュレータ８６の基準電圧Ｖｒｅｆ、抵抗ＲａおよびＲｂによって決まり、式（２）のようになる。
【００５６】
Ｖ２＝Ｖｒｅｆ×（Ｒａ＋Ｒｂ）／Ｒｂ    （２）
ここで、出力電圧調整端子８６６には、抵抗Ｒｃを介して電圧ＶＤが入力される。電圧ＶＤは、図５に示したように、外気温度に応じて変化する電圧である。したがって、電圧可変型レギュレータ８６では、式（３）のように、出力電圧Ｖ２がこの電圧ＶＤに応じて変化する。
【００５７】
Ｖ２＝Ｖｒｅｆ×（Ｒａ＋Ｒｂ）／Ｒｂ＋Ｒａ／Ｒｃ×（Ｖｒｅｆ−ＶＤ）    （３）
式（３）を参照して、出力電圧Ｖ２は、右辺第１項（＝Ｖｒｅｆ×（Ｒａ＋Ｒｂ）／Ｒｂ）を基準値として、右辺第２項（＝Ｒａ／Ｒｃ×（Ｖｒｅｆ−ＶＤ））で決まる範囲内で変化する。すなわち、抵抗Ｒａ，Ｒｂは、出力電圧Ｖ２の電圧レベルを決定し、抵抗Ｒｃは、外気温度の変化に伴なう出力電圧Ｖ２の変動幅を決定する。このようにして外付け抵抗によって制御された出力電圧Ｖ２は、駆動電圧として排気用ファン７０へ供給される。
【００５８】
図６には、電圧可変型レギュレータ８６から出力される駆動電圧Ｖ２と外気温度との関係が示される。図６を参照して、駆動電圧Ｖ２は、外気温度が下限値Ｔｐ［℃］以下のときには、一定電圧ＶＬに維持されている。そして、外気温度が下限値Ｔｐ［℃］を超えると、駆動電圧Ｖ２は、外気温度の変化に対して一定の傾きで増加する。さらに、外気温度が上限値Ｔｑ［℃］に到達すると、駆動電圧Ｖ２は、一定電圧ＶＨに固定される。この一定電圧ＶＨは、たとえば排気用ファン７０の最大能力に相当する最大駆動電圧に設定されている。
【００５９】
以上に述べたように、本実施の形態に従うプロジェクタにおいては、温度センサ９０の出力電圧Ｖ１は、制御装置５０であるマイコンを介さずに、ファン駆動回路８０に直接的に入力される。そして、ファン駆動回路８０では、温度センサ９０の出力電圧Ｖ１が、光学部品の温度条件を考慮して予め設定された外気温度の温度範囲および排気用ファン７０の駆動能力に基づいて、排気用ファン７０の駆動電圧Ｖ２に電圧変換される。
【００６０】
このような構成としたことにより、本実施の形態に従うプロジェクタによれば、マイコンが温度センサの出力値に応じて冷却用ファンの駆動電圧を制御する従来のプロジェクタと比較して、ファン駆動電圧を筐体内部の冷却に必要十分な電圧レベルに制御することができる。その結果、冷却ファンの清音化、省電力化および冷却ファン制御の簡略化が可能となる。
【００６１】
すなわち、従来のプロジェクタでは、安全規格上、マイコンからの指示に従って生成された冷却ファンの駆動電圧が、該駆動電圧の制御範囲の下限値に固定された状態であっても、筐体内部の温度が所定の温度条件を満足させることが求められる。そのためには、光源等からの発熱量が相対的に大きくなるような温度環境を想定し、該環境下においても筐体内部の冷却に十分な風量が確保されるように冷却ファンの駆動能力を上げなければならず、冷却ファンの作動音による騒音の発生が問題となっていた。また、このように冷却ファンの駆動能力を高めることで、通常の温度環境では冷却ファンの消費電力が無駄に増大するという問題が生じていた。
【００６２】
また、筐体内部では冷却部位に対応して複数個のファンが設けられるが、これらのファンをマイコンによって個別に制御しようとすれば、プログラムが複雑化するため回路規模が大きくなる、高価なものとなるといった不具合が生じていた。
【００６３】
これに対して、本実施の形態によるプロジェクタでは、マイコンを介さずにファン駆動回路が直接的に冷却ファンの駆動電圧を制御する構成となっていることから、安全規格において、上述したような駆動電圧が下限値に固定されるような状態を考慮する必要性がない。したがって、無駄に冷却ファンの駆動能力を増大させることなく、筐体内部の温度を適性に制御することが可能となる。これにより、冷却ファンの静音化および省電力化を実現できる。
【００６４】
また、ファン駆動回路が温度センサの出力電圧に応じて直接的に複数のファンの駆動電圧を個別に制御することから、簡易かつ低廉な構成で冷却ファンの制御を行なうことができる。
【００６５】
なお、図６を参照して、外気温度が上限値Ｔｑ［℃］を超えた場合には、排気用ファンは、最大駆動電圧ＶＨで駆動するように制御される。しかしながら、排気用ファンの駆動によっても外気温度がさらに上昇してしまい、上限値Ｔｑ［℃］よりも高い許容値Ｔｍａｘ［℃］に到達した場合には、制御装置５０（図１）は、冷却不能であると判断し、筐体内部の過熱を防止するための異常時運転を行なうようにプロジェクタ１００を制御する。
【００６６】
図７は、プロジェクタ１００の異常時運転を行なうための制御構造を示すブロック図である。
【００６７】
図７を参照して、制御装置５０は、温度センサ９０に対してファン駆動回路８０と並列に接続されている。これにより、温度センサ９０の出力電圧Ｖ１は、ファン駆動回路８０に入力されるとともに、制御装置５０にも入力される。
【００６８】
制御装置５０は、この温度センサ９０の出力電圧Ｖ１を監視しており、外気温度がＴｍａｘ［℃］を超えたことを検出すると、光源１０への供給電力を制限することによって光源１０の出力を低下させるように電源回路４０を制御する。なお、この電源回路４０の制御には、光源１０への電力供給を遮断することによって光源１０を強制的にオフさせる態様も含まれる。
【００６９】
さらに、制御装置５０は、筐体内部の温度異常をユーザに警告するための信号を生成するように、ＯＳＤ生成部２２に対して制御信号を出力する。ＯＳＤ生成部２２は、光変調部２０が表示させる画像に対してＯＳＤ表示によって温度異常の警告情報を表示させる。なお、この警告は、上述したＯＳＤ表示によって行なうものに限定されることなく、異常を報知するための警告音の発生や、筐体に別途設けられている警告用ランプの点灯によって行なうものであってもよい。
【００７０】
なお、本実施の形態では、ファン駆動回路８０を電圧変換回路８４および電圧可変型レギュレータ８６の組合せによって構成したが、これに限定されるものではない。たとえば、電圧可変型レギュレータ８６に代えて、フィードバック型のＤＣ／ＤＣコンバータを用いてもよい。さらに、電圧変換回路８４についても図４に示すような回路構成に限定されるものではなく、温度センサ９０の出力特性およびファン駆動電圧の電圧範囲に応じて適宜変更される。
【００７１】
また、本実施の形態では、プロジェクタ１００として液晶プロジェクタを採用したが、これに限定されるものではない。たとえば、ＤＬＰ（Digital Light Processing）（登録商標）方式のプロジェクタ等の他の方式のプロジェクタに本発明の技術を採用してもよい。
【００７２】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００７３】
１０  光源、２０  光変調部、２２  ＯＳＤ生成部、３０  投射レンズ、４０  電源回路、５０  制御装置、６０  吸気用ファン、７０  排気用ファン、８０  ファン駆動回路、８２，８８  端子、８４  電圧変換回路、８６  電圧可変型レギュレータ、９０  温度センサ、１００  プロジェクタ、１１０  筐体、１２０  吸気口、１３０  排気口、８４０，８４２，８４４  差動増幅器、８６０  電圧入力端子、８６２  電圧出力端子、８６４  接地端子、８６６  出力電圧調整端子、Ｒ１〜Ｒ５  抵抗。
【図１】
2011007952.tif 000003
【図２】
2011007952.tif 000004
【図３】
2011007952.tif 000005
【図４】
2011007952.tif 000006
【図５】
2011007952.tif 000007
【図６】
2011007952.tif 000008
【図７】
2011007952.tif 000009